(57)【特許請求の範囲】
【請求項１】
既設建物の屋上の鉄骨梁の上フランジ上に軽量気泡コンクリートパネルが載置され、該軽量気泡コンクリートパネル上に断熱材が載置され、該断熱材上に防水シートが敷設された既設建物の屋上に親綱締結用屋上支持金物を固定する方法であって、
梁伏図を基にして既設建物の屋上における鉄骨梁の配置位置を特定して前記防水シートの上から該鉄骨梁の上フランジの位置を特定し、
前記特定した位置の防水シートを切断して前記断熱材を露出させ、該露出した断熱材上に墨出しを行い、
前記墨出しをした断熱材を切断して該切断した断熱材を除去して前記軽量気泡コンクリートパネルを露出させ、
天端部に親綱が締結される環状部材を螺合締着し得るネジ孔を有する支持金物の下端部に固定され、左右それぞれ２箇所以上に貫通孔が形成された底板の前記軽量気泡コンクリートパネル上の取付位置を決めた後、
前記軽量気泡コンクリートパネル上の取付位置に前記支持金物の底板を載置し、前記支持金物の底板側から該底板に形成された左右それぞれ２箇所以上の貫通孔にセルフドリルビスを打ち込んで前記軽量気泡コンクリートパネル及び前記鉄骨梁の上フランジを貫通して固定し、
前記除去した断熱材を、前記支持金物の円柱部材、前記底板及び前記セルフドリルビスの頭部の形状に合わせて切削し、
前記切削した断熱材を前記支持金物の円柱部材が露出するようにして前記底板及び前記軽量気泡コンクリートパネル上に載置して嵌め戻し、
前記支持金物の円柱部材が露出するようにして前記断熱材上に前記切断した防水シートを敷設し、
前記切断した防水シートの切断部に他の防水シートを貼着することを特徴とする親綱締結用屋上支持金物固定方法。
【発明の詳細な説明】
【０００１】
【発明の属する技術分野】
本発明は、既設建物の屋上に親綱締結用屋上支持金物を後付けする固定方法に関するものである。
【０００２】
【従来の技術】
従来、屋上を使用することを想定しない建物では、特別に手摺りや支持金物を取り付ける設計がなされていないため屋上の防水シート等の改修工事、点検、清掃等の作業時には建物の外周に足場等を組むなどして作業を行なっている。
【０００３】
しかしながら、作業時毎に大がかりな足場等を組むのは経費や時間がかかるため既設建物の屋上に支持金物を簡単に後付けすることが好ましい。
【０００４】
屋上の構造としては、例えば、鉄骨梁の上フランジ上に軽量気泡コンクリートパネル（以下、「ＡＬＣパネル」という）が載置され、その上部に断熱材が載置され、更にその上部に防水シートが敷設されたものがある。
【０００５】
このような構造では、防水シート、断熱材及びＡＬＣパネルを切り欠いて鉄骨梁を露出させ、鉄骨梁の上フランジに支持金物の底板を直に載置してボルト止め等により固定することも考えられる。
【０００６】
【発明が解決しようとする課題】
しかしながら、前述の従来例では、ＡＬＣパネルを切り欠くため該ＡＬＣパネルの梁への掛かり代が少なくなり、該ＡＬＣパネルの強度が低下すると共にＡＬＣパネルによる断熱性能等が低下するという問題がある。また、ＡＬＣパネルの内部には補強鉄筋が埋設されており、ＡＬＣパネルを切り欠く際に補強鉄筋を切り取る必要があるため労力がかかり騒音を発生するという問題がある。また、補強鉄筋が露出した場合、そこから錆が発生してＡＬＣパネルの強度を低下させる虞がある。
【０００７】
また、鉄骨梁の上フランジに支持金物の底板を直に載置してボルト止め等により固定する場合には、鉄骨梁の上フランジの下側に手を延ばして作業する必要があるが、ＡＬＣパネルを切り取る大きさにも強度的或いは断熱性能的に制限があり、十分な開口が得られないため締結するボルトやナットの挿入及び締結作業が困難である。
【０００８】
締結作業スペースを確保するためにＡＬＣパネルを比較的大きく切り欠いた場合、上述したＡＬＣパネルの強度や断熱性能の低下等に加えて、大きく切り欠いた穴から作業中に異物が下階に落下する虞も有り、落下事故を防止するために別途落下防止のための養生を行なわなければならないという問題もある。
【０００９】
本発明は前記課題を解決するものであり、その目的とするところは、簡単な構成で容易に且つ確実に既設建物の屋上に支持金物を後付けすることが出来る親綱締結用屋上支持金物固定方法を提供せんとするものである。
【００１０】
【課題を解決するための手段】
前記目的を達成するための本発明に係る親綱締結用屋上支持金物固定方法は、既設建物の屋上の鉄骨梁の上フランジ上に軽量気泡コンクリートパネルが載置され、該軽量気泡コンクリートパネル上に断熱材が載置され、該断熱材上に防水シートが敷設された既設建物の屋上に親綱締結用屋上支持金物を固定する方法であって、梁伏図を基にして既設建物の屋上における鉄骨梁の配置位置を特定して前記防水シートの上から該鉄骨梁の上フランジの位置を特定し、前記特定した位置の防水シートを切断して前記断熱材を露出させ、該露出した断熱材上に墨出しを行い、前記墨出しをした断熱材を切断して該切断した断熱材を除去して前記軽量気泡コンクリートパネルを露出させ、天端部に親綱が締結される環状部材を螺合締着し得るネジ孔を有する支持金物の下端部に固定され、左右それぞれ２箇所以上に貫通孔が形成された底板の前記軽量気泡コンクリートパネル上の取付位置を決めた後、前記軽量気泡コンクリートパネル上の取付位置に前記支持金物の底板を載置し、前記支持金物の底板側から該底板に形成された左右それぞれ２箇所以上の貫通孔にセルフドリルビスを打ち込んで前記軽量気泡コンクリートパネル及び前記鉄骨梁の上フランジを貫通して固定し、前記除去した断熱材を、前記支持金物の円柱部材、前記底板及び前記セルフドリルビスの頭部の形状に合わせて切削し、前記切削した断熱材を前記支持金物の円柱部材が露出するようにして前記底板及び前記軽量気泡コンクリートパネル上に載置して嵌め戻し、前記支持金物の円柱部材が露出するようにして前記断熱材上に前記切断した防水シートを敷設し、前記切断した防水シートの切断部に他の防水シートを貼着することを特徴とする。
【００１１】
本発明は、上述の如く構成したので、屋上の鉄骨梁の上フランジ上に載置された軽量気泡コンクリートパネルを切り欠くことなく、該軽量気泡コンクリートパネルを介在して支持金物を鉄骨梁に固定することが出来るため軽量気泡コンクリートパネルの保全が出来、騒音や下階への異物の落下等の虞がない。
【００１２】
また、セルフドリルビスにより支持金物の底板側から該底板、軽量気泡コンクリートパネル及び鉄骨梁の上フランジを貫通させるだけで容易に固定することが出来る。
【００１３】
【発明の実施の形態】
図により本発明に係る親綱締結用屋上支持金物固定方法の一実施形態を具体的に説明する。図１は本発明に係る親綱締結用屋上支持金物固定方法が適用される屋上支持金物取付構造を示す断面説明図、図２は本発明に係る親綱締結用屋上支持金物固定方法が適用される屋上支持金物取付構造により建物の屋上に支持金物を取り付ける際の配置構成の一例を示す平面説明図、図３（ａ）〜（ｃ）は建物の屋上に取り付けられる支持金物の一例を示す斜視説明図である。
【００１４】
また、図４〜図６は本発明に係る親綱締結用屋上支持金物固定方法により建物の屋上に支持金物を取り付ける様子を示す図である。
【００１５】
図１及び図２に示すように、本実施形態における既設建物の屋上１は、Ｈ型鋼からなる鉄骨梁２の上フランジ２ａ上に軽量気泡コンクリートパネル（以下、「ＡＬＣパネル」という）３が載置され、その上部に断熱材４が載置され、更にその上部に防水シート５が敷設された構造を有している。
【００１６】
このような既設建物の屋上１では、設計段階で屋上を使用することを想定していないため特別に手摺りや支持金物を取り付ける設計がなされていない。しかしながら、防水シート５等の改修及び点検、清掃等を行なう場合に作業時毎に建物の外周に足場等を組むのでは時間やコストがかかるため本発明では、図３に示すような支持金物６を既設建物の屋上１に簡単に後付けするように構成したものである。
【００１７】
建物の設計時には梁伏図と称する鉄骨梁２の配置位置を記した図面が作成されており、この梁伏図を基にして既設建物の屋上１における鉄骨梁２の配置位置を特定する。
【００１８】
鉄骨梁２の上フランジ２ａの位置は屋上１の周囲に取り付けられた庇の付け根や屋上１に降った雨水を受けて排水口に導くために該屋上１の周囲に設けられた突起部等を起点として容易に特定することが可能である。
【００１９】
そして、それ等の起点と梁伏図に基づいて図２に示すように防水シート５の上から鉄骨梁２の上フランジ２ａの位置を特定して墨出しを行ない、支持金物６の設置位置を決定する。
【００２０】
本実施形態の支持金物６は図３（ａ）に示すように、天端部にネジ孔6a1を有する円柱部材６ａの下端部に８箇所に貫通孔6b1が形成された底板６ｂが固定されており、図３（ｂ）に示すように、円柱部材６ａの天端部のネジ孔6a1にキャップ部材６ｃを螺合して装着することでネジ孔6a1にゴミや雨水が侵入することを防止することが出来る。尚、キャップ部材６ｃの内側にはネジ孔6a1に螺合し得るボルト部が設けられている。
【００２１】
また、図３（ｃ）に示すように、円柱部材６ａの天端部のネジ孔6a1にＯボルト等の環状部材６ｄを螺合締着して装着することで、図１に示すように、該環状部材６ｄに親綱７を締結し、該親綱７に作業員の命綱を締結することが出来、建物の外周に足場等を組むことなく、屋上１の防水シート５等の改修及び点検、清掃等の作業が容易に出来る。
【００２２】
次に図４〜図６を用いて本発明に係る親綱締結用屋上支持金物固定方法により既設建物の屋上１に支持金物６を取り付ける手順について説明する。梁伏図に基づいて図２に示すように防水シート５の上から鉄骨梁２の上フランジ２ａの位置を特定して該上フランジ２ａのセンターを決め、図４（ａ）に示すように、支持金物６を取り付ける位置の防水シート５上に、例えば、３００mm×４００mmの方形状で墨出し８ａを行なう。ここで、鉄骨梁２の上フランジ２ａの幅は１００mm、支持金物６の底板６ｂは長さ１９０mm、幅１００mmとする。
【００２３】
そして、図４（ｂ）に示すように、防水シート５の墨出し８ａをした３辺をカッターナイフ等により切断し、その切断した防水シート５ａを繋がった１辺の方向に巻き上げて断熱材４を露出させる。露出した断熱材４上に更に例えば、２００mm×３００mmの方形状で墨出し８ｂを行なう。
【００２４】
そして、図４（ｃ）に示すように、断熱材４の墨出し８ｂをした４辺と、そのセンターをカッターナイフ等により切断し、その切断した断熱材４ａを除去してＡＬＣパネル３を露出させる。露出したＡＬＣパネル３上から図５（ａ）に示すように錐９で孔を開けつつ鉄骨梁２の上フランジ２ａの位置を確認し、支持金物６の底板６ｂの取付位置を決定する。
【００２５】
そして、図５（ｂ）に示すように、鉄骨梁２の上フランジ２ａが対応する位置に支持金物６の底板６ｂを載置し、底板６ｂに形成された所望の貫通孔6b1から固定部材となるセルフドリルビス10を挿通し、ＡＬＣパネル３及び鉄骨梁２の上フランジ２ａを貫通させて打ち込み固定する。
【００２６】
支持金物６の底板６ｂには左右に４箇所ずつ計８箇所の貫通孔6b1が形成されており、セルフドリルビス10を固定しようとした箇所で鉄骨梁２の上フランジ２ａに予め孔が空いていたり、別部材が取り付けられていてセルフドリルビス10が打ち込めないような場合に別の貫通孔6b1を利用してセルフドリルビス10を鉄骨梁２の上フランジ２ａに打ち込んで固定出来るようになっている。
【００２７】
従って、貫通孔6b1の左右２箇所ずつ計４箇所の貫通孔6b1を利用してセルフドリルビス10を打ち込めば良く、他の４箇所の貫通孔6b1は予備のために設けられたものである。尚、必要に応じて８箇所全ての貫通孔6b1を利用してセルフドリルビス10を打ち込んで固定しても良い。
【００２８】
また、本実施形態では底板６ｂに予め貫通孔6b1を形成した場合の一例について説明したが、貫通孔6b1が形成されていない底板６ｂを円柱部材６ａに固定した支持金物６を使用して該底板６ｂの適当な位置からセルフドリルビス10を打ち込んでＡＬＣパネル３及び鉄骨梁２の上フランジ２ａを貫通させて打ち込み固定することも出来る。
【００２９】
セルフドリルビス10を打ち込んだ後は、図５（ｃ）に示すように、レンチ11を用いてセルフドリルビス10のネジの締め付け状態を確認し、該セルフドリルビス10が緩い場合にはレンチ11により締め直す。
【００３０】
次に図６（ａ）に示すように、支持金物６の円柱部材６ａ、底板６ｂ及びセルフドリルビス10の頭部の形状に合わせて図４（ｃ）で除去した断熱材４ａを切削し、図６（ｂ）に示すように、支持金物６の円柱部材６ａが露出するようにして底板６ｂ及びＡＬＣパネル３上に断熱材４ａを載置して嵌め戻す。
【００３１】
次に図６（ｃ）に示すように、切断して巻き上げた防水シート５ａの支持金物６の円柱部材６ａに対応する部分を円形に切り取ると共にその円形部に連続して切断辺に延長する切り込みを入れ、該円柱部材６ａが露出するようにして断熱材４，４ａ上に防水シート５ａを敷設する。防水シート５ａの３辺と円形部から延長された中央の切断部に防水シート12を貼着して防水シート５，５ａと防水シート12とを溶着或いは融着して防水する。
【００３２】
尚、本実施形態では、防水シート５ａの１辺を残して３辺を切断したが、防水シート５ａの４辺を切断して除去した後、前述と同様にして支持金物６を取り付け、断熱材４ａを嵌め戻した後で、除去した防水シート５ａの支持金物６の円柱部材６ａに対応する部分を円形に切り取り、該円柱部材６ａが露出するようにして断熱材４，４ａ上に防水シート５ａを敷設し、防水シート５ａの４辺の切断部に防水シート12を貼着して防水シート５，５ａと防水シート12とを溶着或いは融着して防水することでも良い。
【００３３】
図１に示すように、支持金物６の円柱部材６ａにはハット型の防水シート13が嵌装され、該防水シート13の鍔部13ａと防水シート５ａとを溶着或いは融着して防水する。また、防水シート13の上端部はステンレスバンド14により締着すると共に防水シート13と円柱部材６ａとの間をシーリング仕上げをして防水する。
【００３４】
上記構成によれば、既設建物の屋上１の鉄骨梁２の上フランジ２ａ上に載置されたＡＬＣパネル３を切り欠く作業が必要なく、ＡＬＣパネル３の保全が出来、騒音や下階への異物の落下等の虞がない。
【００３５】
また、セルフドリルビス10等の固定部材により支持金物６の底板６ｂ側から該底板６ｂ、ＡＬＣパネル３及び鉄骨梁２の上フランジ２ａを貫通させて打ち込むことで該ＡＬＣパネル３を介在して支持金物６を鉄骨梁２に容易に固定することが出来る。
【００３６】
【発明の効果】
本発明は、上述の如き構成と作用とを有するので、簡単な構成で容易に且つ確実に既設建物の屋上に支持金物を後付けすることが出来る。
【００３７】
即ち、屋上の鉄骨梁の上フランジ上に載置された軽量気泡コンクリートパネルを切り欠く作業が必要なく、軽量気泡コンクリートパネルの保全が出来、騒音や下階への異物の落下等の虞がない。
【００３８】
セルフドリルビスにより支持金物の底板側から該底板、軽量気泡コンクリートパネル及び鉄骨梁の上フランジを貫通させるだけで該軽量気泡コンクリートパネルを介在して支持金物を鉄骨梁に容易に固定することが出来る。
【図面の簡単な説明】
【図１】  本発明に係る親綱締結用屋上支持金物固定方法が適用される屋上支持金物取付構造を示す断面説明図である。
【図２】  本発明に係る親綱締結用屋上支持金物固定方法が適用される屋上支持金物取付構造により建物の屋上に支持金物を取り付ける際の配置構成の一例を示す平面説明図である。
【図３】  （ａ）〜（ｃ）は建物の屋上に取り付けられる支持金物の一例を示す斜視説明図である。
【図４】  本発明に係る親綱締結用屋上支持金物固定方法により建物の屋上に支持金物を取り付ける様子を示す図である。
【図５】  本発明に係る親綱締結用屋上支持金物固定方法により建物の屋上に支持金物を取り付ける様子を示す図である。
【図６】  本発明に係る親綱締結用屋上支持金物固定方法により建物の屋上に支持金物を取り付ける様子を示す図である。
【符号の説明】
１…既設建物の屋上
２…鉄骨梁
２ａ…上フランジ
３…ＡＬＣパネル
４，４ａ…断熱材
５，５ａ…防水シート
６…支持金物
６ａ…円柱部材
6a1…ネジ孔
６ｂ…底板
6b1…貫通孔
６ｃ…キャップ部材
６ｄ…環状部材
７…親綱
８ａ，８ｂ…墨出し
９…錐
10…セルフドリルビス
11…レンチ
12…防水シート
13…ハット型防水シート
13ａ…鍔部
14…ステンレスバンド
【図１】
0003970062.tif 000002
【図２】
0003970062.tif 000003
【図３】
0003970062.tif 000004
【図４】
0003970062.tif 000005
【図５】
0003970062.tif 000006
【図６】
0003970062.tif 000007